(57)【要約】検査用センサを使用して体液サンプルの検体濃度を測定するのに適合した装置である。該装置は、ユーザに情報を表示するのに適合したディスプレイを備える。該装置は、ユーザが装置と相互作用できるようにするのに適合した、少なくとも１つのユーザインターフェース機構をさらに備える。該装置は、その中に形成される少なくとも１つの開口部を含む本体部をさらに備え、少なくとも１つの開口部は、検査用センサを受容するのに十分なサイズである。該装置は、複数の記憶された検体濃度を記憶するのに適合したメモリをさらに備える。該装置は、記憶された検体濃度がディスプレイに表示されることを防止するのに適合した処理機能をさらに備える。
2010517036.tif 000002
【特許請求の範囲】
【請求項１】
検査用センサを使用して体液サンプルの検体濃度を測定するのに適合した装置であって、
ユーザに情報を表示するのに適合したディスプレイと、
前記ユーザが、前記装置と相互作用できるようにするのに適合した、少なくとも１つのユーザインターフェース機構と、
その中に形成される少なくとも１つの開口部を含み、少なくとも１つの前記開口部が、前記検査用センサを受容するのに十分なサイズである本体部と、
複数の記憶された検体濃度を記憶するのに適合したメモリと、
前記記憶された検体濃度が、前記ディスプレイに表示されることを防止するのに適合した処理機能と、
を備える、装置。
【請求項２】
前記処理機能が連続的に作動する、請求項１に記載の装置。
【請求項３】
前記処理機能が選択的に作動する、請求項１に記載の装置。
【請求項４】
前記処理機能が、少なくとも１つの前記開口部が検査用センサを含む場合に作動する、請求項３に記載の装置。
【請求項５】
前記処理機能が、少なくとも１つの前記開口部に近接した検出器を含み、前記検出器が、前記少なくとも１つの開口部が検査用センサを含んでいるかどうかを検出するのに適合した、請求項４に記載の装置。
【請求項６】
前記処理機能が、前記少なくとも１つのユーザインターフェース機構を停止させるのに適合した、請求項４に記載の装置。
【請求項７】
前記処理機能が作動している場合、前記ディスプレイが、現在の検体濃度に関連する情報を表示することを制限される、請求項１に記載の装置。
【請求項８】
前記処理機能が、予め定められた方法で少なくとも１つの前記ユーザインターフェース機構と相互作用することによって、無効にされ得る、請求項１に記載の装置。
【請求項９】
検査用センサを使用して体液サンプルの検体濃度を測定するのに適合した装置であって、
ユーザに情報を表示するのに適合したディスプレイと、
前記ユーザが、前記装置と相互作用できるようにするのに適合した、少なくとも１つのユーザインターフェース機構と、
その中に形成される少なくとも１つの開口部を含み、少なくとも１つの前記開口部が、前記検査用センサを受容するのに十分なサイズである本体部と、
複数の記憶された検体濃度を記憶するのに適合したメモリと、
を備え、
少なくとも１つの前記開口部が検査用センサを含む場合、前記ディスプレイが、現在の検体濃度に関連する情報のみを表示することに制限される、
装置。
【請求項１０】
前記検査用センサが少なくとも１つの前記開口部から取り外されると、記憶された検体濃度に関連する情報が表示され得る、請求項９に記載の装置。
【請求項１１】
前記ディスプレイに表示される前記情報を制限するのに適合したハードウェアコンポーネントをさらに含む、請求項９に記載の装置。
【請求項１２】
前記少なくとも１つの開口部に近接した検出器をさらに備え、前記検出器が、少なくとも１つの前記開口部が検査用センサを含んでいるかどうかを検出するのに適合した、請求項１１に記載の装置。
【請求項１３】
前記ディスプレイに表示される前記情報を制限するのに適合したソフトウェアコンポーネントをさらに含む、請求項９に記載の装置。
【請求項１４】
検査用センサを使用して体液サンプルの検体濃度を測定するのに適合した装置を使用する方法であって、
ディスプレイと、少なくとも１つのユーザインターフェース機構と、その中に形成される少なくとも１つの開口部を含む本体部と、複数の記憶された検体濃度を記憶するのに適合したメモリとを備える装置を提供する動作と、
前記複数の記憶された検体濃度のうちの少なくとも１つを前記ディスプレイに表示することを補助するのに適合した少なくとも１つの前記ユーザインターフェース機構と相互作用する動作と、
予め定められた条件が存在するかどうかを判断する動作と、
前記予め定められた条件が存在する場合、前記複数の記憶された検体濃度が前記ディスプレイに表示されることを防止する動作と、
を含む、方法。
【請求項１５】
前記予め定められた条件が存在しない場合、前記複数の記憶された検体濃度のうちの少なくとも１つをディスプレイに表示する動作をさらに含む、請求項１４に記載の方法。
【請求項１６】
前記予め定められた条件は、検査用センサが少なくとも１つの前記開口部に配設されていることを含む、請求項１４に記載の方法。
【請求項１７】
前記装置は、前記複数の記憶された検体濃度が前記ディスプレイに表示されることを防止するのに適合した、ソフトウェアコンポーネントをさらに含む、請求項１４に記載の方法。
【請求項１８】
前記複数の記憶された検体濃度が前記ディスプレイに表示されることを防止する動作が、前記ユーザインターフェース機構を停止させる動作を含む、請求項１４に記載の方法。
【請求項１９】
予め定められた動作を実行する動作をさらに含み、前記予め定められた動作が、前記複数の記憶された検体濃度のうちの少なくとも１つを前記ディスプレイに表示することを補助する、請求項１４に記載の方法。
【請求項２０】
検査用センサを使用して体液サンプルの検体濃度を測定するのに適合した装置を使用する方法であって、
ディスプレイと、少なくとも１つのユーザインターフェース機構と、その中に形成される少なくとも１つの開口部を含む本体部と、複数の記憶された検体濃度を記憶するのに適合したメモリとを備える装置を提供する動作と、
前記複数の記憶された検体濃度のうちの少なくとも１つを前記ディスプレイに表示することを補助するのに適合した少なくとも１つの前記ユーザインターフェース機構と相互作用する動作と、
検査用センサが少なくとも１つの前記開口部に配設されているかどうかを判断する動作と、
検査用センサが少なくとも１つの前記開口部に配設されている場合、前記複数の記憶された検体濃度が前記ディスプレイに表示されることを防止する動作と、
を含む、方法。
【請求項２１】
検査用センサが少なくとも１つの前記開口部に配設されていない場合、前記複数の記憶された検体濃度のうちの少なくとも１つを前記ディスプレイに表示する動作をさらに含む、請求項２０に記載の方法。
【請求項２２】
前記検査用センサが前記少なくとも１つの開口部から取り外されると、前記複数の記憶された検体濃度が前記ディスプレイに表示されることを可能にする動作をさらに含む、請求項２０に記載の方法。
【請求項２３】
前記装置は、前記複数の記憶された検体濃度が前記ディスプレイに表示されることを防止するのに適合した、ソフトウェアコンポーネントをさらに含む、請求項２０に記載の方法。
【請求項２４】
前記装置は、少なくとも１つの前記開口部に近接して配設される検出器をさらに含む、請求項２０に記載の方法。
【請求項２５】
検査用センサが少なくとも１つの前記開口部に配設されているかどうかを判断する前記動作が、前記検査用センサが少なくとも１つの前記開口部に配設されていることを検出する前記検出器を含む、請求項２４に記載の方法。
【発明の詳細な説明】
【技術分野】
【０００１】
本発明は、概して、検体検査装置に関し、より具体的には、検査中に視認可能な検体濃度を制限するように適合されるメータおよびそれを実行する方法に関する。
【背景技術】
【０００２】
体液中の検体の定量的測定は、特定の生理学的異常の診断および管理において非常に重要である。例えば、乳酸、コレステロール、およびビリルビンは、特定の個人において監視されるべきである。特に、体液中のグルコースの測定は、体液中のグルコースレベルを頻繁に検査しなければならない糖尿病患者にとって、彼らの食事におけるグルコース摂取を調節するために重要である。そのような検査の結果を使用して、もしあるとすれば、どのようなインスリンおよび／または別の薬物が投与される必要があるのかを判断することができる。あるタイプの検査システムにおいては、血液サンプルのような体液を検査するために、検査用センサが使用される。
【０００３】
個人の血中グルコースレベルを監視する一方法は、持ち運びのできる携帯型血中グルコース検査装置（例えば、メータ）を用いる。メータを用いて血中グルコースレベルを測定するために、皮膚組織を刺し、全血サンプルを皮膚表面に形成することを可能にするランセット針とともに、ランセット装置を使用し得る。一度必要量の血液が皮膚表面に形成されると、血液サンプルは、検査用センサに移動する。検査用センサは、一般に、メータ本体内の開口部に配置される。
【０００４】
既存のメータは、通常、以前に取得された過去の検体濃度を記憶するためのメモリを含む。記憶された検査結果は、一般に、より大きいメモリを有する別の装置（例えば、コンピュータ）に転送されるか、または削除されるまで、メモリ内に記憶される。さらに、メータは、一般に、ユーザが記憶された検査結果を見直すことができる、スクロールボタンまたは別のタイプのユーザインターフェース機構を含む。
【０００５】
記憶された検査結果がユーザによって誤ってアクセスされた場合（例えば、スクロールボタンを誤って押すことによって）、問題が生じる。例えば、自分のグルコース濃度を検査しているユーザは、検査中にスクロールボタンを誤って、および／または無意識に押す可能性があり、それによって、ユーザは、前回の検査手順に関連するグルコース濃度を現在のグルコース濃度と間違えてしまう。そのように間違った検査結果によって危険なグルコースレベル（例えば、高血糖または低血糖状態）が検出されない可能性があり、ユーザにとって危険であり、深刻な健康上の結果をまねくおそれがある。
【０００６】
上記の欠点の対処に役立つ検体検査装置を提供することが、望ましいであろう。
【発明の概要】
【課題を解決するための手段】
【０００７】
一実施形態に従って、検査用センサを使用して体液サンプルの検体濃度を測定するように適合された装置を開示する。該装置は、ユーザに情報を表示するように適合したディスプレイを備える。該装置は、ユーザが装置と相互作用(interact)できるように適合した、少なくとも１つのユーザインターフェース機構をさらに備える。該装置は、その中に形成される少なくとも１つの開口部を含む本体部をさらに備える。少なくとも１つの開口部は、検査用センサを受容するのに十分なサイズである。該装置は、複数の記憶された検体濃度を記憶するように適合されるメモリをさらに備える。該装置は、記憶された検体濃度がディスプレイに表示されることを防止するのに適合した処理機能をさらに備える。
【０００８】
別の実施形態に従って、検査用センサを使用して体液サンプルの検体濃度を測定するのに適合した装置を開示する。該装置は、ユーザに情報を表示するのに適合したディスプレイを備える。該装置は、ユーザが装置と相互作用できるように適合した、少なくとも１つのユーザインターフェース機構をさらに備える。該装置は、その中に形成される少なくとも１つの開口部を含む本体部をさらに備える。少なくとも１つの開口部は、検査用センサを受容するのに適合する。該装置は、複数の記憶された検体濃度を記憶するのに適合したメモリをさらに備える。少なくとも１つの開口部が検査用センサを含む場合、ディスプレイは、現在の検体濃度に関連する情報のみを表示することに制限される。
【０００９】
一のプロセスに従って、検査用センサを使用して体液サンプルの検体濃度を測定するのに適合した装置を使用する方法を開示する。該方法は、ディスプレイと、少なくとも１つのユーザインターフェース機構と、その中に形成される少なくとも１つの開口部を含む本体部と、複数の記憶された検体濃度を記憶するのに適合したメモリとを備える装置を提供する動作を含む。該方法は、少なくとも１つのユーザインターフェース機構と相互作用する動作をさらに含む。少なくとも１つのユーザインターフェース機構は、複数の記憶された検体濃度のうちの少なくとも１つをディスプレイに表示することを補助するのに適合している。該方法は、予め定められた条件が存在するかどうかを判断する動作をさらに含む。該方法は、予め定められた条件が存在する場合、複数の記憶された検体濃度がディスプレイに表示されることを防止する動作をさらに含む。
【００１０】
別のプロセスに従って、検査用センサを使用して体液サンプルの検体濃度を測定するのに適合した装置を使用する方法を開示する。該方法は、ディスプレイと、少なくとも１つのユーザインターフェース機構と、その中に形成される少なくとも１つの開口部を含む本体部と、複数の記憶された検体濃度を記憶するのに適合されるメモリとを備える装置を提供する動作を含む。該方法は、少なくとも１つのユーザインターフェース機構と相互作用する動作をさらに含む。少なくとも１つのユーザインターフェース機構は、複数の記憶された検体濃度のうちの少なくとも１つをディスプレイに表示することを補助するのに適合している。該方法は、検査用センサが少なくとも１つの開口部に配設されているかどうかを判断する動作をさらに含む。該方法は、検査用センサが少なくとも１つの開口部に配設されている場合、複数の記憶された検体濃度がディスプレイに表示されることを防止する動作をさらに含む。
【００１１】
本発明の上記概要は、本発明の各実施形態または全ての態様を示すことを意図するものではない。以下に説明する発明を実施するための形態および図面から、本発明のさらなる特徴および利点が明らかとなる。
【図面の簡単な説明】
【００１２】
【図１】一実施形態に従ったメータの正面図である。
【図２】本発明の一方法を詳述するフロー図である。
【発明を実施するための形態】
【００１３】
本発明の実施形態は、表示防止機能を有する検体検査装置またはメータに関する。より具体的には、本明細書に記載される実施形態のメータは、ユーザが過去の検体検査手順により記憶された検体濃度を誤って、および／または無意識に表示することを防止または予防する。
【００１４】
本明細書に記載されるメータを使用して、体液サンプル中の検体濃度の測定を補助することができる。収集および分析され得る検体の種類の一部の例としては、グルコース、脂質プロファイル（例えば、コレステロール、トリグリセリド、ＬＤＬ、およびＨＤＬ）、微量アルブミン、ヘモグロビン、Ａ１Ｃ、フルクトース、乳酸、またはビリルビンが挙げられる。しかしながら、本発明は、これらの特定の検体に制限されず、別の検体濃度が測定され得ることが考えられる。検体は、例えば、全血サンプル、血清サンプル、血漿サンプル、または間質液（ＩＳＦ）および／または尿等の別の体液中にある。検査用センサカートリッジおよびメータに対する使用の限定されない一例は、ユーザの血液、血漿、およびＩＳＦ中のグルコース濃度を測定することである。
【００１５】
図１は、一実施形態に従ったメータ１０を図示する。メータ１０は、ディスプレイ１２と、本体部１４と、少なくとも１つの検査用センサ開口部と、ユーザがメータ１０と相互作用できるようにするための、少なくとも１つのユーザインターフェース機構１８と、情報を処理するのに適合したプロセッサ２６とを含む。少なくとも１つの検査用センサ開口部は、検査用センサを受容および／または保持するのに適合した開口部１６を含む。少なくとも１つの開口部はまた、検査用センサを取り出すように適合し得る。図示された実施形態において、ユーザインターフェース機構１８は、複数のボタン１８ａ〜ｃを含む。ユーザインターフェースは、スクロールホイール、タッチスクリーン、またはこれらの組み合わせを含むが、これらに限定されるものではなく、メータ１０との通信に好適な別の機構を含み得ることが考えられる。本明細書に記載される実施形態は、概して、ユーザインターフェース機構として１つ以上のボタン１８ａ〜ｃを有すると説明しているが、任意の好適な種類のユーザインターフェース機構またはこれらの組み合わせが、本明細書に記載されるボタン１８ａ〜ｃの代わりに使用し得る。メータ１０に使用され得るディスプレイ１２の一例は、液晶ディスプレイである。ディスプレイ１２は、通常、ユーザインターフェース機構（例えば、ボタン１８ａ〜ｃ）によって入力される信号に反応して、検査手順および／または検査情報に関する情報を示す。検査結果はまた、例えば、スピーカ等を使用することによって音声で示され得る。次いで、メータ１０は、メモリ１９に情報を記憶し得る。
【００１６】
検査が終了した後に、検査用センサは、いくつかの方法のうちの１つを使用して、開口部１６から取り外され得る。一実施形態において、メータ１０は、メータ１０から使用済みの検査用センサを取り出す、イジェクト機構２０を含み得る。そのような実施形態においては、検査用センサは、強制的に取り外される。さらなる実施形態においては、検査用センサは、メータ１０から手動で取り外され得る。
【００１７】
メモリ１９は、概して、過去の検体検査手順に関連する情報を記憶する。例えば、メモリ１９は、過去の検体濃度、過去の検査が実行された日時、過去の検査に関連する別の情報、これらの組み合わせ等を含み得る。ユーザは、ユーザインターフェース機構１８ａ〜ｃと相互作用することによって、メモリ１９から記憶された検査結果にアクセスし得る。例えば、ユーザは、スクロールボタン１８ｂを押して、メータ１０のメモリ１９に記憶されている記憶された検査結果をスクロールすることができる。ユーザは、データをコピーまたは転送するために、より大きいメモリを有する別の装置（例えば、コンピュータ２１）に、メータ１０をリンクし得る。データは、ケーブル２２を使用して、ワイヤレスで、または任意の別の好適な手段を使用して転送し得る。一実施形態においては、例えば、メータ１０は、通信リンクによって遠隔監視システムに接続し得る、連続的な検体監視アセンブリとともに使用される。。
【００１８】
本明細書に記載される実施形態のメータは、過去の検体検査手順で記憶された検体濃度が、ディスプレイに表示されることを防止または予防するのに適合した、表示防止機能を含む。したがって、表示防止機能は、ユーザが、誤って、および／または無意識に記憶した検査結果をディスプレイに表示させることを防止または予防する。表示防止機能は、例えば、処理機能であってもよい。表示防止機能は、メータ１０内のソフトウェア、ハードウェア、またはこれらの組み合わせを使用して達成し得る。例えば、機能は、プロセッサ２６に関連し得る。
【００１９】
一実施形態に従って、表示防止機能は、特定の場合に選択的に作動する。例えば、一実施形態においては、表示防止機能は、検査用センサが開口部１６内に配設されている場合に作動する。したがって、検査用センサが開口部１６内に配設されている場合は、ディスプレイ１２は、現在の検体検査手順に関連する情報（例えば、現在の検体濃度、現在の日付および／または時刻、これらの組み合わせ等）のみを表示することに制限される。メータ１０は、検査用センサが開口部１６内に配設されているときに検出する、開口部１６に近接して配設された検出器２４、スイッチ等を含み得る。検査用センサが開口部１６から取り外されると、表示防止機能は停止し得る（例えば、記憶された検体濃度に関する情報が表示され得る）ことが考えられる。検査手順の間に表示防止機能を作動させることは、ユーザが、誤ってユーザインターフェース機構と相互作用し（例えば、スクロールボタン１８ｂを押し）、過去の検査手順に関連する情報を画面上に表示させ、記憶された検体濃度をユーザの現在の検体濃度と間違えることを防止または予防するのに有益であり得る。
【００２０】
ここで図２は、本発明の一方法に従ったフロー図を示す。動作１０２において、ユーザは、記憶された検体濃度およびそれに関連する情報を表示するために、メータ１０上に配設されるユーザインターフェース機構（例えば、スクロールボタン１８ｂ）と相互作用する。動作１０４において、メータ１０は、予め定められた条件が存在するかどうかを判断する。予め定められた条件の限定されない一例として、検査用センサが開口部１６内に配設されていることが含まれる。動作１０４において、メータ１０は、予め定められた条件が存在する（例えば、検査用センサが開口部１６内に配設されている）と判断した場合、動作１０６において、記憶された検体濃度がディスプレイ１２に表示されることを防止する。一実施形態においては、ユーザは、スクロールボタン１８ｂが押されたこと、記憶された検査結果が検査手順の間に表示されない場合があること、これらの組み合わせ等を示す音声メッセージまたはディスプレイ１２上のメッセージを受信し得る。センサが開口部１６から取り外されると、記憶された検体濃度は、ディスプレイ１２に表示され得る。一方、動作１０４において、メータ１０が、予め定められた条件が存在しない（例えば、検査用センサが開口部１６内に配設されていない）と判断した場合、動作１０８において、メータ１０は、記憶された検体濃度を表示し得る。
【００２１】
別の実施形態に従って、ユーザが表示防止機能を無効にするために、記憶された検体濃度を表示することを要求する度に、１つ以上の予め定められた肯定的動作が必ず実行されるように、表示防止機能は連続的に作動する。限定されない一例においては、スクロールボタン１８ｂを押すことによって、メータ１０は、ユーザが記憶された検査結果を表示することを要求していること、およびスクロールボタン１８ｂが誤って押されたのではないことを確認するために、別のボタンを押すこと、スクロールボタン１８ｂを再度押すこと、ボタン１８ａ〜ｃを長押しすること、２つ以上のボタン１８ａ〜ｃを同時に押すこと、または他の何らかの肯定的動作を実行することをユーザに促し得る。メータ１０は、ディスプレイ１２上に指示を表示すること、ユーザに音声で指示すること、これらの組み合わせ等によって、そのような肯定的動作を実行するのにユーザに促し得る。表示防止機能を無効にする能力は、表示防止機能が連続的に作動するメータ、または表示防止機能が選択的に作動するメータ（例えば、上述のように、検査用センサが開口部１６内に配設されている場合）に適用され得る。図１に示すメータ１０以外のタイプの検体検査装置が、本明細書に記載される実施形態のいずれかと合わせて使用され得ることが考えられる。
【００２２】
代替の実施形態Ａ
検査用センサを使用して体液サンプルの検体濃度を測定するのに適合される装置であって、該装置は、
ユーザに情報を表示するのに適合したディスプレイと、
ユーザが装置と相互作用できるように適合した、少なくとも１つのユーザインターフェース機構と、
その中に形成された少なくとも１つの開口部を含み、少なくとも１つの開口部が検査用センサを受容するのに十分なサイズである本体部と、
複数の記憶された検体濃度を記憶するのに適合したメモリと、
記憶された検体濃度がディスプレイに表示されることを防止するのに適合した処理機能と、
を備える。
【００２３】
代替の実施形態Ｂ
代替の実施形態Ａの装置であって、処理機能は、連続的に作動する。
【００２４】
代替の実施形態Ｃ
代替の実施形態Ａの装置であって、処理機能は、選択的に作動する。
【００２５】
代替の実施形態Ｄ
代替の実施形態Ｃの装置であって、処理機能は、少なくとも１つの開口部が検査用センサを含む場合に作動する。
【００２６】
代替の実施形態Ｅ
代替の実施形態Ｄの装置であって、処理機能は、少なくとも１つの開口部に近接した検出器を含み、検出器は、少なくとも１つの開口部が検査用センサを含んでいるかどうかを検出するのに適合する。
【００２７】
代替の実施形態Ｆ
代替の実施形態Ｄの装置であって、処理機能は、少なくとも１つのユーザインターフェース機構を停止させるのに適合する。
【００２８】
代替の実施形態Ｇ
代替の実施形態Ａの装置であって、処理機能が作動している場合は、ディスプレイが、現在の検体濃度に関連する情報を表示することに制限される。
【００２９】
代替の実施形態Ｈ
代替の実施形態Ａの装置であって、予め定められた方法で少なくとも１つのユーザインターフェース機構と相互作用することにより、処理機能が無効にされ得る。
【００３０】
代替の実施形態Ｉ
検査用センサを使用して体液サンプルの検体濃度を測定するのに適合した装置であって、該装置は、
ユーザに情報を表示するのに適合したディスプレイと、
ユーザが装置と相互作用できるようにするための、少なくとも１つのユーザインターフェース機構と、
その中に形成される少なくとも１つの開口部を含み、少なくとも１つの開口部が検査用センサを受容するのに適合した本体部と、
複数の記憶された検体濃度を記憶するのに適合したメモリと、
を備え、
少なくとも１つの開口部が検査用センサを含む場合、ディスプレイが、現在の検体濃度に関連する情報のみを表示することに制限される。
【００３１】
代替の実施形態Ｊ
代替の実施形態Ｉの装置であって、検査用センサが少なくとも１つの開口部から取り外されると、記憶された検体濃度に関連する情報が表示され得る。
【００３２】
代替の実施形態Ｋ
代替の実施形態Ｉの装置であって、ディスプレイに表示される情報を制限するのに適合したハードウェアコンポーネントをさらに含む。
【００３３】
代替の実施形態Ｌ
代替の実施形態Ｋの装置であって、少なくとも１つの開口部に近接した検出器をさらに備え、検出器は、少なくとも１つの開口部が検査用センサを含んでいるかどうかを検出するのに適合する。
【００３４】
代替の実施形態Ｍ
代替の実施形態Ｉの装置であって、ディスプレイに表示される情報を制限することに適合したソフトウェアコンポーネントをさらに含む。
【００３５】
代替のプロセスＮ
検査用センサを使用して体液サンプルの検体濃度を測定するのに適合した装置を使用する方法であって、該方法は、
ディスプレイと、少なくとも１つのユーザインターフェース機構と、その中に形成される少なくとも１つの開口部を含む本体部と、複数の記憶された検体濃度を記憶するのに適合したメモリとを備える装置を提供する動作と、
複数の記憶された検体濃度のうちの少なくとも１つをディスプレイに表示することを補助するのに適合した少なくとも１つのユーザインターフェース機構と相互作用する動作と、
予め定められた条件が存在するかどうかを判断する動作と、
予め定められた条件が存在する場合、複数の記憶された検体濃度がディスプレイに表示されることを防止する動作と、
を含む。
【００３６】
代替のプロセスＯ
代替のプロセスＮの方法であって、予め定められた条件が存在しない場合、複数の記憶された検体濃度のうちの少なくとも１つをディスプレイに表示する動作をさらに含む。
【００３７】
代替のプロセスＰ
代替のプロセスＮの方法であって、予め定められた条件は、検査用センサが少なくとも１つの開口部に配設されていることを含む。
【００３８】
代替のプロセスＱ
代替のプロセスＮの方法であって、該装置は、複数の記憶された検体濃度がディスプレイに表示されることを防止するのに適合したソフトウェアコンポーネントをさらに含む。
【００３９】
代替のプロセスＲ
代替のプロセスＮの方法であって、複数の記憶された検体濃度がディスプレイに表示されることを防止する動作は、ユーザインターフェース機構を停止させる動作を含む。
【００４０】
代替のプロセスＳ
代替のプロセスＮの方法であって、予め定められた動作を実行する動作をさらに含み、予め定められた動作は、複数の記憶された検体濃度のうちの少なくとも１つをディスプレイに表示することを補助する。
【００４１】
代替のプロセスＴ
検査用センサを使用して体液サンプルの検体濃度を測定するのに適合した装置を使用する方法であって、該方法は、
ディスプレイと、少なくとも１つのユーザインターフェース機構と、その中に形成される少なくとも１つの開口部を含む本体部と、複数の記憶された検体濃度を記憶するのに適合したメモリとを備える装置を提供する動作と、
複数の記憶された検体濃度のうちの少なくとも１つをディスプレイに表示することを補助するのに適合した少なくとも１つのユーザインターフェース機構と相互作用する動作と、
検査用センサが少なくとも１つの開口部に配設されているかどうかを判断する動作と、
検査用センサが少なくとも１つの開口部に配設されている場合、複数の記憶された検体濃度がディスプレイに表示されることを防止する動作と、
を含む。
【００４２】
代替のプロセスＵ
代替のプロセスＴの方法であって、検査用センサが少なくとも１つの開口部に配設されていない場合、複数の記憶された検体濃度のうちの少なくとも１つをディスプレイに表示する動作をさらに含む。
【００４３】
代替のプロセスＶ
代替のプロセスＴの方法であって、検査用センサが少なくとも１つの開口部から取り外されると、複数の記憶された検体濃度がディスプレイに表示できるようにする動作をさらに含む。
【００４４】
代替のプロセスＷ
代替のプロセスＴの方法であって、該装置は、複数の記憶された検体濃度がディスプレイに表示されることを防止するのに適合したソフトウェアコンポーネントをさらに含む。
【００４５】
代替のプロセスＸ
代替のプロセスＴの方法であって、該装置は、少なくとも１つの開口部に近接して配設される検出器をさらに含む。
【００４６】
代替のプロセスＹ
代替のプロセスＸの方法であって、検査用センサが少なくとも１つの開口部に配設されているかどうかを判断する動作は、検査用センサが少なくとも１つの開口部に配設されているかどうかを検出する検出器を含む。
【００４７】
本発明は種々の修正形態および代替形態が可能であるが、具体的な実施形態を、図面において一例として示し、本明細書に説明する。しかしながら、本発明は、開示した特定の形態に制限されることを意図しないことを理解されたい。むしろ、本発明は、添付の特許請求の範囲によって定義される、本発明の精神および範囲内の、すべての修正物、同等物、および代替物を対象とするものとする。
【図１】
2010517036.tif 000003
【図２】
2010517036.tif 000004
【国際調査報告】
2010517036.tif 000005
2010517036.tif 000006